(57)【要約】【課題】トランスペアレントネットワークにおいて、中継ノードにどの光信号が届いているかを正確にモニタする。【解決手段】本発明は、送信ノードにおいて、送信ノードの送信用トランスポンダから、どの光信号が届いていなかを判定するためのパストレース情報を主信号のオーバヘッドに挿入して、アド用波長選択スイッチを介して中継ノードに送信し、中継ノードのドロップ用波長選択スイッチにおいて、パストレース情報が挿入された主信号のオーバヘッドを取得し、中継ノードのモニタ用トランスポンダにおいて、パストレース情報をモニタして、どの光信号が通過しているかを判定する。【選択図】図１
2010098547.tif 000002
【特許請求の範囲】
【請求項１】
送信ノード、中継ノード、受信ノードからなる光−電気処理を含まないトランスペアレントネットワークおいて、
前記送信ノード、前記中継ノード、前記受信ノードともに、波長多重信号からドロップ信号光を選択して出力し、該波長多重信号からドロップされた信号光を除いた信号光と、アド信号光を多重した信号光を出力する光分岐挿入多重手段から構成され、
前記送信ノード、前記中継ノード、前記受信ノードの入出力を接続したトランスペアレントネットワークであって、
前記送信ノードにおいて、
前記送信ノードの送信用トランスポンダから、光パスのＩＤを示すパストレース情報を主信号のオーバヘッドに挿入して、アド用波長選択スイッチを介して前記中継ノードに送信し、
前記中継ノードのドロップ用波長選択スイッチにおいて、所定の光信号を選択し、
前記中継ノードのモニタ用トランスポンダにおいて、前記主信号のオーバヘッドを取得して、該オーバヘッドに挿入されている前記パストレース情報をモニタしてどの光信号が通過しているかを判定する
ことを特徴とするパストレース方法。
【請求項２】
送信ノード、中継ノード、受信ノードからなる光−電気処理を含まないトランスペアレントネットワークおいて、
前記送信ノード、前記中継ノード、前記受信ノードともに、波長多重信号からドロップ信号光を選択して出力し、該波長多重信号からドロップされた信号光を除いた信号光と、アド信号光を多重した信号光を出力する光分岐挿入多重手段から構成され、
前記送信ノード、前記中継ノード、前記受信ノードの入出力を接続したトランスペアレントネットワークであって、
前記送信ノードにおいて、
前記送信ノードの送信用トランスポンダから、光パスのＩＤを示すパストレース情報を主信号のオーバヘッドに挿入して、アド用波長選択スイッチを介して前記中継ノードに送信し、
前記受信ノードのドロップ用波長選択スイッチにおいて、所定の光信号を選択し、
前記受信ノードの受信用トランスポンダにおいて、前記主信号のオーバヘッドを取得して、該オーバヘッドに挿入されている前記パストレース情報をモニタしてどの光信号が通過しているかを判定する
ことを特徴とするパストレース方法。
【請求項３】
複数のノードが光ファイバで接続される光−電気処理を含まないトランスペアレントネットワークにおいて、
他のノード装置から入力された光信号を分波する分波手段と、
入力された波長多重信号から所定の光信号を選択するアド用波長選択スイッチと、
光パスのＩＤを示すパストレース情報を主信号のオーバヘッドに挿入して、前記アド用波長選択スイッチを介して他のノード装置に送信する送信用トランスポンダと、
前記分波手段から分波された一方の波長多重信号から所定の光信号を選択するドロップ用波長選択スイッチと、
前記ドロップ波長選択スイッチから出力された光信号のオーバヘッドを取得して、該オーバヘッドに挿入されている前記パストレース情報をモニタしてどの光信号が通過しているかを判定するモニタ用トランスポンダと、
を有することを特徴とするノード装置。
【請求項４】
主信号の入力方路（１〜Ｎ）毎に、
前記入力方路からの光信号を分岐する前記分岐手段と、
前記分岐手段から出力された主信号の波長単位に光信号を選択するドロップ用波長選択スイッチと、
前記分岐手段から入力された前記光信号の方路を切り替える方路切替波長選択スイッチと、
前記方路切替波長選択スイッチから入力された光信号を波長単位に選択するアド用波長選択スイッチと、
を有し、
Ｎ番目の前記ドロップ用波長選択スイッチから入力された光信号を選択する選択手段と、
前記パストレース情報に対応する前記光信号が通過しているかを判定するモニタ用トランスポンダと、
を有する請求項３記載のノード装置。
【請求項５】
冗長化された光パスに対し、
１つの光パスに対して、現用の送受信トランスポンダと、予備用の送受信トランスポンダを有し、
前記予備用送受信トランスポンダを故障発生待機中は他の光パスのモニタ用トランスポンダとして機能させる
請求項３記載のノード装置。
【請求項６】
複数のノードが光ファイバで接続される光−電気処理を含まないトランスペアレントネットワークにおいて、
主信号の入力方路（１〜Ｎ）からの光信号を分岐する第１の分岐手段と、
アドポートから入力された光信号を分岐する第２の分岐手段と、
前記第１の分岐手段、及び、前記第２の分岐手段から出力された主信号の波長単位に光信号を選択するアド用波長選択スイッチと、
前記第１の分岐手段から入力された前記光信号から波長選択する波長選択スイッチと、
前記波長選択スイッチから入力された光信号を波長単位に選択するドロップ用波長選択スイッチと、
前記ドロップ波長選択スイッチから出力された光信号のオーバヘッドを取得して、該オーバヘッドに挿入されている前記パストレース情報をモニタしてどの光信号が通過しているかを判定するモニタ用トランスポンダと、
を有することを特徴とするノード装置。
【発明の詳細な説明】
【技術分野】
【０００１】
本発明は、パストレース方法及びノード装置に係り、特に、送信ノード、中継ノード、受信ノードからなる光−電気処理を含まないトランスペアレントネットワーク上のノードにおいて、伝送された光信号のうち、どの光信号が届いていないかをモニタするためのパストレース方法及びノード装置に関する。
【背景技術】
【０００２】
従来、図６に示すようなトランスペアレントネットワークにおいて、ある送信ノードからある受信ノードへデータを転送する場合には、送信ノードにおいて転送データを含む電気信号を光信号に変換して送信して、受信ノードにおいて光信号を電気信号に変換する。この際、送信ノードから受信ノードまでは光パスが設定され、転送データを含む光信号が転送される。ここで、光パスを中継する中継ノードでは、ＯＥＯ(Optical Electrical Optical)の処理を介さず、つまり、光パスを終端する送信ノードから受信ノードまでは、電気信号に変換することなく光信号のまま転送される。
【０００３】
光パスで転送する情報には、転送データの他、転送データの情報、及び、トランスペアレントネットワークの制御管理情報も付加されており、ＩＴＵ−Ｔで標準化されている（例えば非特許文献１、非特許文献２参照）。この中で、光パスのＩＤを示す管理情報（パストレース）も規定されている。また、中継ノードでは、光パワーが所定のレベルであるか否かにより、光信号が到達しているか否かを判定することが規定されている。
【非特許文献１】ITU-T Recommendations G.707/Y.1322(12/2003), Network node interface for the synchronous digital hierarchy (SDH), section 9.3.1.1, etc
【非特許文献２】ITU-T Recommendations G.709(2003), Interfaces for the optical transport network (OTM)
【発明の開示】
【発明が解決しようとする課題】
【０００４】
しかしながら、上記従来の方法では、ＯＥＯを介さずに中継するため、中継ノードにおけるモニタ機能は光パワーレベルに限定される。そのため、トランスペアレントネットワークにおいて、光パス設定に失敗した際の故障分析において、スイッチの異常等により異なる光信号が届いている場合でも、光パワーレベルでモニタした場合に、本来の光信号と区別できないため、誤った信号が所定のレベル以上のレベルであった場合には、「正常」と判断されてしまい、異常とは判別できないという問題がある。
【０００５】
本発明は、上記の点に鑑みなされたもので、トランスペアレントネットワークにおいて、中継ノードにどの光信号が届いているかを正確にモニタすることが可能なパストレース方法及びシステムを提供することを目的とする。
【課題を解決するための手段】
【０００６】
本発明（請求項１）は、送信ノード、中継ノード、受信ノードからなる光−電気処理を含まないトランスペアレントネットワークにおいて、
前記送信ノード、前記中継ノード、前記受信ノードともに、波長多重信号からドロップ信号光を選択して出力し、該波長多重信号からドロップされた信号光を除いた信号光と、アド信号光を多重した信号光を出力する光分岐挿入多重手段から構成され、
前記送信ノード、前記中継ノード、前記受信ノードの入出力を接続したトランスペアレントネットワークであって、
送信ノードにおいて、
送信ノードの送信用トランスポンダから、光パスＩＤを示すパストレース情報を主信号のオーバヘッドに挿入して、アド用波長選択スイッチを介して中継ノードに送信し、
中継ノードのドロップ用波長選択スイッチにおいて、所定の光信号を選択し、
中継ノードのモニタ用トランスポンダにおいて、主信号のオーバヘッドに挿入されているパストレース情報をモニタしてどの光信号が通過しているかを判定する。
【０００７】
本発明（請求項２）は、送信ノード、中継ノード、受信ノードからなる光−電気処理を含まないトランスペアレントネットワークおいて、
送信ノード、中継ノード、受信ノードともに、波長多重信号からドロップ信号光を選択して出力し、該波長多重信号からドロップされた信号光を除いた信号光と、アド信号光を多重した信号光を出力する光分岐挿入多重手段から構成され、
送信ノード、中継ノード、受信ノードの入出力を接続したトランスペアレントネットワークであって、
送信ノードにおいて、
送信ノードの送信用トランスポンダから、光パスのＩＤを示すパストレース情報を主信号のオーバヘッドに挿入して、アド用波長選択スイッチを介して中継ノードに送信し、
受信ノードのドロップ用波長選択スイッチにおいて、所定の光信号を選択し、
受信ノードの受信用トランスポンダにおいて、主信号のオーバヘッドを取得して、該オーバヘッドに挿入されているパストレース情報をモニタしてどの光信号が通過しているかを判定する。
【０００８】
図１は、本発明の原理構成図である。
【０００９】
本発明（請求項３）は、複数のノードが光ファイバで接続される光−電気処理を含まないトランスペアレントネットワークにおいて、
他のノード装置から入力された光信号を分波する分波手段３と、
入力された波長多重信号から所定の光信号を選択するアド用波長選択スイッチ２と、
光パスのＩＤを示すパストレース情報を主信号のオーバヘッドに挿入して、アド用波長選択スイッチ２を介して他のノード装置に送信する送信用トランスポンダ１と、
分波手段３から分波された一方の波長多重信号から所定の光信号を選択するドロップ用波長選択スイッチ４と、
ドロップ波長選択スイッチ４から出力された主信号のオーバへッドを取得し、該オーバヘッドに挿入されているパストレース情報をモニタしてどの光信号が通過しているかを判定するモニタ用トランスポンダ５と、を有する。
【００１０】
また、本発明（請求項４）は、主信号の入力方路（１〜Ｎ）毎に、
入力方路からの光信号を分岐する分岐手段と、
分岐手段から出力された該主信号の波長単位に光信号を選択するドロップ用波長選択スイッチと、
分岐手段から入力された光信号の方路を切り替える方路切替波長選択スイッチと、
方路切替波長選択スイッチから入力された光信号を波長単位に選択するアド用波長選択スイッチと、
を有し、
Ｎ番目のドロップ用波長選択スイッチから入力された光信号を選択する選択手段と、
パストレース情報に対応する光信号が通過しているかを判定するモニタ用トランスポンダと、を有する。
【００１１】
また、本発明（請求項５）は、冗長化された光パスに対し、
１つの光パスに対して、現用の送受信トランスポンダと、予備用の送受信トランスポンダを有し、
予備用送受信トランスポンダを故障発生待機中は他の光パスのモニタ用トランスポンダとして機能させる。
【００１２】
本発明（請求項６）は、複数のノードが光ファイバで接続される光−電気処理を含まないトランスペアレントネットワークにおいて、
主信号の入力方路（１〜Ｎ）からの光信号を分岐する第１の分岐手段と、
アドポートから入力された光信号を分岐する第２の分岐手段と、
第１の分岐手段、及び、第２の分岐手段から出力された主信号の波長単位に光信号を選択するアド用波長選択スイッチと、
第１の分岐手段から入力された光信号から波長選択する波長選択スイッチと、
波長選択スイッチから入力された光信号を波長単位に選択するドロップ用波長選択スイッチと、
ドロップ波長選択スイッチから出力された光信号のオーバヘッドを取得して、該オーバヘッドに挿入されているパストレース情報をモニタしてどの光信号が通過しているかを判定するモニタ用トランスポンダと、を有する。
【発明の効果】
【００１３】
本発明によれば、トランスペアレントネットワークにおいて、主信号のオーバヘッドにパストレース情報（メンテナンス信号）を挿入し、中継ノードのDrop&Continue機能により、トランスポンダにおいて、主信号をモニタすることにより、どの光信号が当該中継ノードを通過しているか判別することができ、信頼性の高いネットワークを構築できる。
【発明を実施するための最良の形態】
【００１４】
以下、図面と共に本発明の実施の形態を説明する。
【００１５】
［第１の実施の形態］
トランスペアレントネットワークは、図６と同様である。
【００１６】
図２は、本発明の第１の実施の形態における各ノードの構成を示す。
【００１７】
同図は、トランスペアレントネットワークにおける送信ノード１００、中継ノード２００、受信ノード３００の例を示している。送信ノード１００は、光ファイバの信号を分岐させる光カプラ１１０、波長単位で光信号を切り替えるDrop用ＷＳＳ(Wavelength Selective Switch)１２０、Add用ＷＳＳ１３０、送信用トランスポンダ（ＴＰＤ）１４０を有する。なお、同図では、説明のため、モニタを行う光パスに関連する送信用トランスポンダしか記載していないが、Drop用ＷＳＳ１２０の出力の各ポートに他の光パス用の受信用トランスポンダ、または、モニタ用トランスポンダを接続、Add用トランスポンダの入力の各ポート（同図中、何も接続されていないポート）に他の光パス用の送信用トランスポンダを接続してもよい。
【００１８】
同様に、中継ノード２００も光カプラ２１０、Drop用ＷＳＳ２２０、Add用ＷＳＳ２３０、モニタ用トランスポンダ（ＴＰＤ）２４０を有する。なお、送信ノード１００と同様に、光パス用の受信用トランスポンダ、他の光パス用トランスポンダ、モニタ用トランスポンダを接続してもよい。
【００１９】
また、受信ノード３００も、光カプラ３１０、Drop用ＷＳＳ３２０、Add用ＷＳＳ３３０、受信用トランスポンダ（ＴＰＤ）３４０を有する。当該受信ノード３００においても上記と同様に、光パス用の受信用トランスポンダ、他の光パス用トランスポンダ、モニタ用トランスポンダを接続してもよい。
【００２０】
なお、説明のため、図２では、送信ノード１００、中継ノード２００、受信ノード３００の各構成を示しているが、全て同一の構成であってよい。
【００２１】
上記のAdd用ＷＳＳ１３０，２３０，３３０は、波長多重信号を入力する複数の入力ポートと、波長多重信号を出力する１つの出力ポートを有し、波長毎にどの入力ポートからの信号（光パス）を出力ポートに接続するかを選択できるスイッチである。
【００２２】
上記のDrop用ＷＳＳ１２０、２２０，３２０は、波長多重信号を入力する１つの入力ポートと、波長多重信号を出力する複数の出力ポートを有し、波長毎に入力ポートから入力された信号（光パス）をどの出力ポートに接続するかを選択できるスイッチである。
【００２３】
光パスを設定する際には、光パスを終端・中継する各ノードにおいて、管理制御装置（図示せず）からAdd用ＷＳＳ１３０，２３０，３３０に対して、どの波長に対してどの入力ポートとどの出力ポートを接続するか（切り替えるか）を指定して、各ＷＳＳにおいてスイッチの設定を行う。
【００２４】
同図示す太線は、主信号の流れを示す。主信号は送信ノード１００の送信用ＴＰＤ１４０から中継ノード２００を介して受信ノード３００に送信される。
【００２５】
送信ノード１００では、送信用ＴＰＤ１４０から主信号のオーバヘッドにパストレース情報を挿入し、Add用ＷＳＳ１３０に出力する。パストレース情報には、パスを特定できる情報、例えば、送信ノード・受信ノードの情報、送受信ノードにおいてトランスペアレントネットワークと接続されている外部装置の情報、あるいは、送受信ノードにおいて外部装置と接続箇所を特定するポート等の情報が設定される。Add用ＷＳＳ１３０は、パストレース情報が挿入された主信号を中継ノード２００に出力する。
【００２６】
中継ノード２００では、光カプラ２１０に主信号が入力されると当該光カプラ２１０において、当該信号を分岐させ、一方がDrop用ＷＳＳ２２０に入力され、もう一方がAdd用ＷＳＳ２３０に入力される。Drop用ＷＳＳ２２０に主信号が入力されると管理制御機能部（図示せず）の制御により任意の波長が選択され、モニタ用ＴＰＤ２４０に入力される。モニタ用ＴＰＤ２４０において、当該ポートから出力された光信号をモニタする。あるノードにおいてある波長の光パスが中継されるべき状況下で、そのノードのその波長に、該当する光パスが正常に中継されているか否かをモニタする場合、そのノードのDrop用ＷＳＳ２２０において、該当する波長をモニタ用トランスポンダ２４０が接続されている出力ポートに出力するように、管理制御機能部（図示せず）から制御を行う。
【００２７】
Drop用ＷＳＳ２２０で該当する波長をモニタ用トランスポンダ２４０に送信して、モニタ用トランスポンダ２４０で電気信号に変換して、パストレース情報を抽出する。
【００２８】
抽出したパストレース情報が該当する光パスのパストレース情報と合致すれば正常と判定し、合致しなければ異常と判定する。
【００２９】
なお、受信ノード３００でも中継ノード２００と同様に主信号のパストレース情報をモニタすることが可能である。
【００３０】
なお、本実施の形態において、Drop用ＷＳＳ２２０においてモニタ用トランスポンダ２４０に接続する波長を切り替えることにより、一つのモニタ用トランスポンダ２４０で全波長の光パスのパストレースを検出することが可能になる。
【００３１】
また、元々受信用トランスポンダ３３０ではパストレース情報を抽出する機能があるため、受信用トランスポンダ３３０をモニタ用トランスポンダとして使用してもよい。これは、本発明の中継ノード２００におけるパストレース検出機能を実現するために、従来と同じモニタ機能を用いてコスト増加を抑えて実現できることを意味している。
【００３２】
また、光パスを設定する場合、故障が発生してもデータ転送が中断しないように、光パスの冗長化の機能を備えている場合がある。この場合、一つの光パスに対して、送受信用トランスポンダを２つずつ備え、１つを現用、もう一つを予備用として用いる。
【００３３】
このように冗長化された光パスがある場合、その光パスの終端ノードでは、予備用として準備されている受信用トランスポンダが故障発生まで使用せずに待機している状態である。このような故障発生を待機している予備用の受信用トランスポンダを、故障発生待機中は他の光パスのモニタ用トランスポンダとして使用することにより、モニタ用トランスポンダを新しく備えることなく、任意の光パスのパストレースを検出することができる。なお、故障発生時に本来故障救済すべき光パスを受信して、また、故障発生前にモニタを行う光パスを受信する制御は、管理制御機能部（図示せず）からDrop用ＷＳＳに対して、所望の光パスを受信用トランスポンダで受信できるように、所望の波長を受信用トランスポンダに送信するように切替の制御を指定する。
【００３４】
［第２の実施の形態］
次に、上記の第１の実施の形態をマルチディグリー構成（ＷＸＣ(Wavelength Cross Connect)やリング間接続）に適用した場合について説明する。ここで、マルチディグレイーとは、一つのノードにおける入（出）力方路数（波長多重信号の入（出）力ポート数）をディグリー数と呼ぶ。ディグリー３以上をマルチディグリーを呼ぶ。
【００３５】
ＲＯＡＤＭシステムの場合は、ディグリー２に該当し、リング間接続や、ＷＸＣがディグリー３以上に該当する。
【００３６】
図３は、本発明の第２の実施の形態における中継ノードの構成を示す。同図では、送信ノード、受信ノードは図示しないが、当該中継ノードと同様の構成を有するものとする。
【００３７】
同図に示す中継ノード４００は、上位ノードからの各方路毎に光信号が入力される光カプラ４１０，４１１，４１２、方路切替ＷＳＳ４２０，４２１，４２２、Add用ＷＳＳ４３０、４３１，４３２、Drop用ＷＳＳ４４０，４４１，４４２と、セレクタ４５０、モニタ用ＴＰＤ４６０から構成される。なお、図示しないが、各ノードのDrop用ＷＳＳの波長選択、セレクタの方路の選択、モニタ用ＴＰＤ等を制御するための管理制御機能部を有するものとする。なお、図３の構成において、方路切替ＷＳＳ４２０，４２１，４２２の代わりに光カプラを用いてもよい。
【００３８】
上記の第１の実施の形態と同様に、方路１から中継ノード４００に、主信号のオーバヘッドにパストレース情報が挿入された光信号が入力されると、光カプラ４１０は、当該光信号を分岐して、方路切替ＷＳＳ４２０とDrop用ＷＳＳ４４０に出力する。方路切替ＷＳＳ４２０は、光カプラ４１０から入力された光信号を波長単位で光信号を切り替えて、Add用ＷＳＳ４３０，４３１，４３２に出力する。Drop用WSS４４０は、光カプラ４１０から入力されたパストレース情報を含む主信号をドロップしてDrop用ＷＳＳ４４１に出力する。
【００３９】
同様に、方路２から主信号のオーバヘッドのパストレース情報が挿入された光信号が入力されると、光カプラ４１１は、当該光信号を分岐して方路切替ＷＳＳ４２１とDrop用ＷＳＳ４４１に出力する。方路切替ＷＳＳ４２１は、光カプラ４１１から入力された光信号を波長単位で光信号を切り替えて、Add用ＷＳＳ４３０，４３１，４３２に出力する。Drop用WSS４４１は、光カプラ４１１から入力されたパストレース情報を含む主信号をドロップしてDrop用ＷＳＳ４４２に出力する。
【００４０】
セレクタ４５０は、Drop用ＷＳＳ４４２から入力されたパストレース情報に基づいて指定されたポートからの光信号をモニタ用ＴＰＤ４６０に出力する。
【００４１】
モニタ用ＴＰＤ４６０は、第１の実施の形態と同様に、パストレース情報で指定されたポート番号から光信号が出力されているかを判定する。
【００４２】
［第３の実施の形態］
図４は、本発明の第３の実施の形態における中継ノードの構成を示す。
【００４３】
同図に示す中継ノードは、光カプラ５０１、５０２，５０３，５０４及びAdd用ＷＳＳ４３０，４３１，４３２，ＷＳＳ４３３、Drop用ＷＳＳ５４２，モニタ用トランスポンダ５６０から構成される。
【００４４】
光カプラ５０１，５０２，５０３は、図３の方路切替ＷＳＳ４２０，４２１，４２２を光カプラに変更し、図３のDrop用の光カプラ４１０，４１１，４１２と共用したものである。また、Addポートから光カプラ５０４を介して各方路のAdd用ＷＳＳ４３０，４３１，４３２に接続されている。
【００４５】
ＷＳＳ４３３は、光カプラ５０１，５０２，５０３から分岐された光信号から波長を選択して、Drop用ＷＳＳ５４２に出力する。Drop用ＷＳＳ５４２で選択された波長をドロップポート及びモニタ用トランスポンダ５６０に出力する。モニタ用トランスポンダ５６０は、上記と同様に、パストレース情報で指定されたポート番号から光信号が出力されているかを判定する。
【００４６】
上記の構成により、各方路（方路１〜方路３）から入力された波長多重信号、及び、光カプラ５０４のAddポートから入力された光信号を、各光カプラにより各方路に分配する。これにより、送信ノード１００、中継ノード２００において、光信号を２つの方路に出力（ブロードキャスト）することが可能となる。
【００４７】
また、光パスを他の経路に切り替える際に、切替先の経路に同じ信号を分配して、切替先の経路の中継ノード及び、切替先の経路の受信ノード３００のモニタ用トランスポンダにおいて、パストレース情報とＢＥＲ（ビット誤り率）をモニタする。
【００４８】
これにより、パスの故障発生時、または、支障移転等のメンテナンス時に、別の経路に光パスを切り替える際に、切替先の経路の正常性を確認することができる。
【００４９】
また、故障発生時に、別経路に光パスを切り替えた後、元の経路の正常性を確認することができる。具体的には、図５に示すようなネットワークがあり、ＡからＣまでの経路を設定する際に、現用パスをＡ−Ｂ−Ｃ、リストレーション用のパスをＡ−Ｄ−Ｅ−Ｆ−Ｃとしたとき、パスＡ−Ｂ−Ｃの故障発生時に、Ａ−Ｄ−Ｅ−Ｆ−Ｃのリストレーション用パスに切り替える。このため、リストレーション用の方向のＷＳＳ以外にも、元の経路の方向のＷＳＳの設定も行い、元の経路Ａ−Ｂ−Ｃにもリストレーション用パスの信号と同じ信号を送出することができる。また、元の経路上の中継ノードＢ，受信ノードＣにおいて、光カプラで分岐した信号をモニタ用トランスポンダで受信することにより、そのノードまでの正常性を確認することができる。
【００５０】
更に、上記経路の正常性確認を、インサービス、且つ、ディジタルレベルで監視可能となる。
【００５１】
なお、本発明は、上記の実施の形態に限定されることなく、特許請求の範囲内において種々変更・応用が可能である。
【産業上の利用可能性】
【００５２】
本発明は、トランスペアレントネットワークにおいて、パストレースを行う技術に適用可能である。
【図面の簡単な説明】
【００５３】
【図１】本発明の原理構成図である。
【図２】本発明の第１の実施の形態における各ノードの構成図である。
【図３】本発明の第２の実施の形態における中継ノードの構成図である。
【図４】本発明の第３の実施の形態における中継ノードの構成図である。
【図５】本発明の第３の実施の形態における元の経路の正常性確認動作を示す図である。
【図６】トランスペアレントネットワークの例である。
【符号の説明】
【００５４】
１  送信用トランスポンダ
２  アド用波長選択スイッチ
３  分波手段
４  ドロップ用波長選択スイッチ
５  モニタ用トランスポンダ
１０  ノード装置
１００  送信ノード
１１０  分波手段、光カプラ
１２０  ドロップ用波長選択スイッチ
１３０  アド用波長選択スイッチ
１４０  送信用トランスポンダ
２００  中継ノード
２１０  分岐手段、光カプラ
２２０  ドロップ用波長選択スイッチ
２３０  アド用波長選択スイッチ
２４０  モニタ用トランスポンダ
３００  受信ノード
３１０  光カプラ
３２０  ドロップ用波長選択スイッチ
３３０  受信用トランスポンダ
３４０  アド用波長選択スイッチ
４００  中継ノード
４１０，４１１，４１２  光カプラ
４２０，４２１，４２２  方路切替波長選択スイッチ
４３０，４３１，４３２  アド用波長選択スイッチ
４４０，４４１，４４２  ドロップ用波長選択スイッチ
４５０  セレクタ
４６０  モニタ用トランスポンダ
５０１，５０２，５０３，５０４  光カプラ
４３３  波長選択スイッチ
５４２  ドロップ用波長選択スイッチ
５６０  モニタ用トランスポンダ
【図１】
2010098547.tif 000003
【図２】
2010098547.tif 000004
【図３】
2010098547.tif 000005
【図４】
2010098547.tif 000006
【図５】
2010098547.tif 000007
【図６】
2010098547.tif 000008